(57)【要約】【課題】長時間稼働可能で且つ情報の不用意な閲覧を抑制可能な携帯端末装置の提供。【解決手段】表示の対象となる画像の画像情報を記憶する記憶手段と、前記画像を表示可能とする表示手段と、前記画像の表示可否を判断する表示判断手段と、前記記憶手段と前記表示手段と前記表示判断手段とを制御する制御手段と、を有する携帯端末装置において、前記記憶手段は前記画像の表示可否を判断するための判断基準を記憶し、前記判断基準に対応する項目を検知する検知手段を有し、前記制御手段は、前記画像情報が前記記憶手段に記憶されていない時は前記表示判断手段に前記画像の表示可否を判断させず前記検知手段を作動させないことを特徴とする携帯端末装置。【選択図】図２
2010217497.tif 000002
【特許請求の範囲】
【請求項１】
表示の対象となる画像の画像情報を記憶する記憶手段と、
前記画像を表示可能とする表示手段と、
前記画像の表示可否を判断する表示判断手段と、
前記記憶手段と前記表示手段と前記表示判断手段とを制御する制御手段と、を有する携帯端末装置において、
前記記憶手段は前記画像の表示可否を判断するための判断基準を記憶し、
前記判断基準に対応する項目を検知する検知手段を有し、
前記制御手段は、前記画像情報が前記記憶手段に記憶されていない時は前記表示判断手段に前記画像の表示可否を判断させず前記検知手段を作動させないことを特徴とする携帯端末装置。
【請求項２】
前記制御手段は、前記画像情報が前記記憶手段に記憶されている時は、前記表示判断手段に前記画像の表示可否を判断させ前記検知手段を作動させることを特徴とする請求項１に記載の携帯端末装置。
【請求項３】
前記制御手段は、前記判断基準と前記検知手段の検知結果とに基づいて前記画像の表示可否を前記表示判断手段に判断させ、判断結果によって前記表示手段に前記画像を表示させることを特徴とする請求項１又は２に記載の携帯端末装置。
【請求項４】
前記判断基準は、前記画像の表示可に係る領域情報であり、前記検知手段は前記判断基準に対応する項目として携帯端末装置の位置を検出し、前記表示判断手段は、前記領域情報が示す領域の内部に前記検知手段が検知した前記位置が含まれる場合に前記画像を表示可と判断することを特徴とする請求項３に記載の携帯端末装置。
【請求項５】
前記画像情報は複数の頁に亙る情報であって、任意の頁の表示を要求する頁表示要求手段を有し、
前記判断基準は、表示可に係る表示可頁情報であり、
前記制御手段は、前記頁表示要求手段によって頁の表示が要求された際に、前記表示判断手段に前記画像の表示可否を判断させ、前記頁表示要求手段によって頁の表示が要求されていない時には前記表示判断手段に前記画像の表示可否を判断させないことを特徴とする請求項３に記載の携帯端末装置。
【請求項６】
前記画像情報は複数の頁に亙る情報であって、表示する頁を切り替える操作を行う頁切替要求手段を有し、
前記制御手段は、前記頁切替要求手段によって頁の切り替え要求が行われた際に、切り替えられる頁について前記表示判断手段に表示可否を判断させ、
前記頁切替要求手段によって頁の切り替え要求が行われていない時に、切り替えられた頁について前記表示判断手段に前記画像の表示可否を判断させないことを特徴とする請求項３に記載の携帯端末装置。
【発明の詳細な説明】
【技術分野】
【０００１】
携帯可能な携帯端末装置に関する。
【背景技術】
【０００２】
近年デジタル技術の進歩はめざましく、外部から送信される各種電子データをいつでも何処でも受信し閲覧（表示）可能な携帯端末装置が一般に普及してきている。しかし、いつでも何処でも受信し閲覧可能という特性から、不用意に電子データを他人に閲覧され、機密情報が漏洩してしまう可能性があった。
【０００３】
このような問題点を解決するために、電子データを閲覧しても良い場所を制限し、電子データを閲覧しても良い閲覧許可領域のみで電子データの閲覧を可能とする携帯端末装置が提案されている。このような携帯端末装置として、例えば、ＧＰＳ（グローバル・ポジショニング・システム）を用いて現在位置を取得し、閲覧許可領域内であると判断された時に電子データの閲覧を可能としたものが従来知られている（例えば特許文献１参照）。
【０００４】
また、ＧＰＳ又は通信エリアのＩＤ取得手段で位置を検知し、閲覧許可領域内であると判断された時に電子データの閲覧を可能としたものが従来知られている（例えば特許文献２参照）。
【０００５】
また、閲覧許可領域の中心等、特定の場所に設置された基地局からの信号を常時監視し、信号の強弱や周波数や変調情報等を解析して閲覧許可領域内外を判断し、閲覧許可領域内であると判断された時に電子データの閲覧を可能としたものが従来知られている（特許文献３参照）。
【先行技術文献】
【特許文献】
【０００６】
【特許文献１】特開２００２−１０８２６７号公報
【特許文献２】特開２００６−３９１０７号公報
【特許文献３】特開２００７−２８６６０２号公報
【発明の概要】
【発明が解決しようとする課題】
【０００７】
携帯端末装置はその携帯性を確保するため、一般的に携帯端末装置内部に取り付けたバッテリにより駆動電力を得ている。
【０００８】
特許文献１に記載された携帯端末装置は、前述のようにＧＰＳ（グローバル・ポジショニング・システム）を用いて現在位置を取得し、閲覧許可領域内であると判断された時に電子データの閲覧を可能としている。このため、携帯端末装置の位置が閲覧許可領域内か外かを判断するために常時ＧＰＳ等の位置検知手段等を作動させねばならず、ＧＰＳ等の消費電力が大きくなり、携帯端末装置としての稼働時間の低下を招くという問題点があった。
【０００９】
また、特許文献２に記載された携帯端末装置は、前述のように更に通信エリアのＩＤ等を用いて現在位置を取得し、閲覧許可領域内であると判断された時に電子データの閲覧を可能としている。このため、ＧＰＳや通信エリアのＩＤ取得手段を常時作動させねばならず、これらの消費電力が大きくなり、携帯端末装置としての稼働時間の低下を招くという問題点があった。
【００１０】
また、特許文献３に記載された携帯端末装置は、前述のように基地局からの信号を常時受信して信号の強弱や周波数や変調情報等を解析することにより現在位置を取得し、閲覧許可領域内であると判断された時に電子データの閲覧を可能としている。このため、基地局からの信号受信手段や信号の解析手段を常時作動せねばならず、これらの消費電力が大きくなり、携帯端末装置としての稼働時間の低下を招くという問題点があった。
【００１１】
本発明は上記問題点に鑑み、長時間稼働可能で且つ情報の不用意な閲覧を抑制可能な携帯端末装置を提供することを目的とする。
【課題を解決するための手段】
【００１２】
１．表示の対象となる画像の画像情報を記憶する記憶手段と、
前記画像を表示可能とする表示手段と、
前記画像の表示可否を判断する表示判断手段と、
前記記憶手段と前記表示手段と前記表示判断手段とを制御する制御手段と、を有する携帯端末装置において、
前記記憶手段は前記画像の表示可否を判断するための判断基準を記憶し、
前記判断基準に対応する項目を検知する検知手段を有し、
前記制御手段は、前記画像情報が前記記憶手段に記憶されていない時は前記表示判断手段に前記画像の表示可否を判断させず前記検知手段を作動させないことを特徴とする携帯端末装置。
【００１３】
２．前記制御手段は、前記画像情報が前記記憶手段に記憶されている時は、前記表示判断手段に前記画像の表示可否を判断させ前記検知手段を作動させることを特徴とする前記１項に記載の携帯端末装置。
【００１４】
３．前記制御手段は、前記判断基準と前記検知手段の検知結果とに基づいて前記画像の表示可否を前記表示判断手段に判断させ、判断結果によって前記表示手段に前記画像を表示させることを特徴とする前記１又は２項に記載の携帯端末装置。
【００１５】
４．前記判断基準は、前記画像の表示可に係る領域情報であり、前記検知手段は前記判断基準に対応する項目として携帯端末装置の位置を検出し、前記表示判断手段は、前記領域情報が示す領域の内部に前記検知手段が検知した前記位置が含まれる場合に前記画像を表示可と判断することを特徴とする前記３項に記載の携帯端末装置。
【００１６】
５．前記画像情報は複数の頁に亙る情報であって、任意の頁の表示を要求する頁表示要求手段を有し、
前記判断基準は、表示可に係る表示可頁情報であり、
前記制御手段は、前記頁表示要求手段によって頁の表示が要求された際に、前記表示判断手段に前記画像の表示可否を判断させ、前記頁表示要求手段によって頁の表示が要求されていない時には前記表示判断手段に前記画像の表示可否を判断させないことを特徴とする前記３項に記載の携帯端末装置。
【００１７】
６．前記画像情報は複数の頁に亙る情報であって、表示する頁を切り替える操作を行う頁切替要求手段を有し、
前記制御手段は、前記頁切替要求手段によって頁の切り替え要求が行われた際に、切り替えられる頁について前記表示判断手段に表示可否を判断させ、
前記頁切替要求手段によって頁の切り替え要求が行われていない時に、切り替えられた頁について前記表示判断手段に前記画像の表示可否を判断させないことを特徴とする前記３項に記載の携帯端末装置。
【発明の効果】
【００１８】
本発明によると、表示の対象となる情報を保有していない場合は情報の閲覧可否判断等を行わないことで消費電力の低減を可能とし、且つ、表示の対象となる情報を保有し閲覧可となった場合に、閲覧を許可する所定の要件（閲覧許可要件）に沿った場合にのみ閲覧許可要件に沿った情報の閲覧を可能としたことにより、長時間稼働可能で且つ情報の不用意な閲覧を抑制可能な携帯端末装置を提供することができる。
【図面の簡単な説明】
【００１９】
【図１】電子ペーパの外観図である。
【図２】電子ペーパのブロック図である。
【図３】電子ペーパの現在位置を取得する方法の説明図である。
【図４】電子ペーパの第１の制御方法のフロー図である。
【図５】電子ペーパの第２の制御方法のフロー図である。
【図６】電子ペーパの第３の制御方法のフロー図である。
【発明を実施するための形態】
【００２０】
本発明の携帯端末装置は、表示の対象となる画像の情報を保有している場合に、該情報に係る画像を表示しても良いか否かを判断するもので、表示して良い要件に沿わない場合は、該画像の表示を禁止できるものである。そして、携帯端末装置としては例えば電子ペーパ、携帯電話、携帯可能な小型のパーソナルコンピュータ、等が挙げられるが、以下、主として携帯端末装置の１例である電子ペーパを例にとって説明する。
【００２１】
以下、表示の対象となる画像を単に画像と称し、表示の対象となる画像の画像情報を画像情報と称す。
【００２２】
なお、画像の例としては、文書、図形、絵、動画等の画像があり、より詳しくは例えば団体の営業や財務に係る画像、会議等に必要な資料の画像等の他者に閲覧されては困る機密の画像と、他者に閲覧されても良い通常の画像が挙げられる。なお、表示内容をスピーカ等により音声で報知するようにしても良い。
【００２３】
また、画像の表示可否を判断するための判断基準であり、画像を閲覧（表示）するための制限要件であり、画像をどの様な要件が満たされれば閲覧（表示）して良いかを判断するための要件を、以下閲覧許可要件と称する。
【００２４】
そして、閲覧許可要件は、場所に係る要件（基準）として例えば団体（会社）の占有する領域や会議室といった領域、使用者の認証に係る要件（基準）として例えば指紋に係る要件、パスワードに係る要件、画像自体の要件（基準）として画像の機密レベルに係る要件、また時刻に係る要件（基準）として何時から何時までといった時間要件等が挙げられる。
【００２５】
以下の説明においては、閲覧許可要件が例えば場所に係る要件である場合について主として説明する。
【００２６】
図１は電子ペーパの外観図である。
【００２７】
電子ペーパ１は、電子ペーパ１全体を制御する制御部２と、画像を表示可能な表示部４と、使用者が入力操作等を行う操作部２５と、外部と通信を行う通信部２６と、閲覧許可要件（判断基準）に対応する項目例えば、領域（電子ペーパの現在位置）、指紋、画像の機密レベル、時間等を検知する検知手段２８と、を有している。
【００２８】
そして、操作部２５には頁表示要求手段である例えば任意の頁の表示要求を行う頁表示スイッチ２５１、頁切替要求手段である画像を切り替える頁めくりスイッチ２５２、表示を中止する表示ＯＦＦスイッチ２５３等のスイッチが設けられている。また、電子ペーパ１はバッテリ（不図示）で駆動されており、充電可能なバッテリの場合は不図示の充電機能を有する充電器に装着することによりバッテリを充電可能となっている。
【００２９】
図２は電子ペーパのブロック図である。
【００３０】
制御部２は電子ペーパ１全体の制御を司るＣＰＵ（中央演算処理装置）２２と、ＲＯＭ（読み出し専用メモリ）２３とＲＡＭ（ランダム・アクセス・メモリ）２４とを有する記憶手段（不図示）と、これらを有機的につなぐバス２１とを有している。
【００３１】
また、バス２１は操作部２５と通信部２６と検知手段２８にもつながっており、これらはＣＰＵ２２により制御されている。
【００３２】
ＣＰＵ２２は、ＲＯＭ２３から電子ペーパ１全体を制御するプログラムを読み込んでＲＡＭ２４をワークエリアとして使用しながらプログラムに記述された各種処理を実行する。
【００３３】
ＲＯＭ２３は電子ペーパ１全体を制御するプログラムを格納している。ＲＡＭ２４はバッテリバックアップされており制御上のワークエリアとなっている。そして、通信部２６等を介して送信された表示の対象となる画像の情報（表示画像情報）と閲覧許可要件とを格納しておく表示画像情報エリア２４１を有している。なお、格納スペースが許せばＨＤＤ（ハードディスクドライブ）を設けてＲＡＭ２４の一部機能を持たせても良い。
【００３４】
制御部２は、後に詳しく説明するが、画像情報が記憶手段（ＲＡＭ２４）に記憶されている時に、画像の表示可否を判断する表示判断手段に画像の表示可否を判断させ、
閲覧許可要件と、検知手段２８の検知結果と、に基づいて画像の表示可否を前記表示判断手段に判断させ、判断結果によって表示部４に前記情報を表示させる。
【００３５】
また、制御部２は、任意の頁の表示を要求する頁表示要求手段により頁の表示要求が行われると前記表示判断手段に画像の表示可否を判断させ、
表示する頁を切り替える操作を行う頁切替要求手段が操作されると、切り替えられた頁について前記表示判断手段に画像の表示可否を判断させる。
【００３６】
また制御部２は、画像の表示可否を判断する表示判断手段としての機能を果たしている。以下の説明においては説明を分かりやすくするため、制御部２における表示可否判断機能を表示可否判断部２９と称することもある。
【００３７】
バッテリ３は、表示部４、ＣＰＵ２２、ＲＯＭ２３、ＲＡＭ２４、操作部２５、通信部２６、及び検知手段２８に電力を供給している。
【００３８】
表示部４は、表示制御回路２７を有し、各種の画像の表示を行う。そして、表示画面として液晶、有機ＥＬ、プラズマ等、公知の表示手段が利用でき、タッチパネル機能を有している、タッチパネル機能により表示部４から直接情報の入力が可能となり作業の効率化が図れる。
【００３９】
また、表示部４は電源を切っても画像表示が継続するメモリ型表示装置を用いても良い。メモリ型表示装置はメモリ型表示素子（不図示）と、該メモリ型表示素子に対して表示すべき画像を書き込むための表示素子駆動回路（不図示）を有している。
【００４０】
前記メモリ型表示素子は、メモリ性を有する表示素子であり、例えばコレステリック液晶を有する液晶表示素子が挙げられる。このようなメモリ型表示素子によれば、画像情報を周期的にリフレッシュする必要がなく、動作電圧や駆動信号の供給が停止した場合でも画像の表示が継続して可能となる。
【００４１】
操作部２５は、使用者が入力操作等を行う前述したスイッチ等を有し、入力された操作情報が制御部２に入力される。
【００４２】
通信部２６は、各種の情報を有線或いは無線で授受可能となっており、受信した表示の対象となる画像の情報（表示画像情報）等はＣＰＵ２２によって必要に応じてＲＡＭ２４（表示の対象となる画像の情報を格納する表示画像情報エリア２４１）に記憶される。
【００４３】
検知手段２８は、閲覧許可要件（判断基準）に対応する項目を検知する検知手段であり、閲覧許可要件に対応する項目（領域、認証、画像の機密レベル、時間等）を検知する部分で、例えば領域に対応する項目を検知するものとして電子ペーパ１の現在位置を検知する位置検知手段２８ａと、認証に対応する項目を検知するものとして使用者の認証を行う認証手段２８ｂとを有している。
【００４４】
そして、通信部２６を介して受信した閲覧許可要件（例えば場所に関する要件）に応じて、対応する検知手段（例えば位置検知手段２８ａ）を選択し、検知手段（例えば位置検知手段２８ａ）により検知された電子ペーパ１の位置情報（例えば事業場Ａ内部の事務室の位置情報）を制御手段２に入力する。
【００４５】
なお、検知手段としては、位置検知手段２８ａと認証手段２８ｂと画像自体の要件に対応する検知手段と時刻に係る要件に対応する検知手段とが挙げられる。
【００４６】
位置検知手段２８ａとしては後述するＧＰＳ２８１と電波強度測定手段２８２等が挙げられ、認証手段２８ｂとして不図示の指紋を読み取る読取装置とパスワード入力装置等が挙げられ、画像自体の要件に対応する検知手段として不図示の画像ＩＤ読み取り手段が挙げられ、時刻に係る要件に対応する検知手段として計時手段等が挙げられる。
【００４７】
以下に閲覧許可要件が場所に係る要件の場合を例にとって、図２と３を参照して電子ペーパの現在位置を取得する方法と、情報の閲覧を許可するか否かを判断する方法について説明する。
【００４８】
図３は電子ペーパの現在位置を取得する方法の説明図である。
【００４９】
パーソナルコンピュータ４００（以下パーソナルコンピュータをＰＣと称す）やサーバー５００から送信される様々な情報は、周辺機器と通信を行い情報の交通整理を行うコミュニケーションサーバー６００（以下コミュニケーションサーバーをＣＢＳ６００と称する）で受信される。そして、ＣＢＳ６００は様々な情報を電子ペーパ１で処理可能なフォーマットに変換して電子ペーパ１に送信する。
【００５０】
電子ペーパ１に送信される情報としては例えば、画像情報と画像情報に関する閲覧許可要件とが挙げられる。そして、画像情報と画像情報に関する閲覧許可要件とがＣＢＳ６００を介して電子ペーパ１に送信され、これらの情報がそれぞれ記憶手段に記憶される。
【００５１】
図３（ａ）を参照して、電子ペーパ１内部で画像の表示可否判断を行う形態について説明する。
【００５２】
図３（ａ）において電子ペーパ１は、画像情報を記憶している場合にのみ、閲覧許可要件（例えば場所に関する要件：事業所Ａが占有する領域情報）に対応した検知手段２８（例えば位置検知手段２８ａ、ＧＰＳ２８１）を選択する。そして、例えばＧＰＳ２８１によりＧＰＳ衛星７１０からの電波を受け現在位置（例えば事業場Ａ内部の事務室の位置）を検知する。
【００５３】
なお、地下街やビルディング内部のようにＧＰＳ衛星７１０からの電波が届きにくい場所に対応するための検知手段２８としては、複数の信号発信機から発信される各電波の強度を測定し、現在位置を検知する電波強度測定手段（不図示）を設けても良い。
【００５４】
この場合は、画像を閲覧可とする領域（例えばビルディング内の会議室）の周辺に信号発信機を配設し、前記電波強度測定手段により測定した複数（少なくとも３箇所）の信号発信機の各電波強度により現在位置の検知が可能となる。なおこの場合電子ペーパ１は、測定した複数の各電波強度に対応する現在位置情報を記載した電子的なテーブルを設け、該テーブルを参照することで現在位置の検知が可能となる。
【００５５】
そして電子ペーパ１は、画像情報を記憶している場合にのみ、ＣＢＳ６００から送信された閲覧許可要件（例えば場所に関する要件：事業所Ａが占有する領域情報）と、検知手段２８（ＧＰＳ２８１）が検知した現在位置情報例えば事業場Ａ内部の事務室の位置情報と、を比較し、現在位置情報（例えば事業場Ａ内部の事務室の位置情報）が、閲覧許可要件に示された領域（例えば事業所Ａが占有する領域情報）の中に含まれている場合は閲覧を可とするようになっている。
【００５６】
図３（ａ）を参照して説明した構成をとることにより、画像情報が記憶手段に記憶されていなければ検知手段２８（例えばＧＰＳ２８１）に判断基準に対応する項目を検知させず、且つ表示可否判断部２９に画像情報の表示可否を判断させないことで、ＧＰＳ２８１等の、消費電力が大きな機器を作動させずにすむことで消費電力の削減ができ携帯端末装置の稼働時間を延長可能とできる。また閲覧許可要件に沿った場所（領域）等でのみ文書等の閲覧を可能とできる。
【００５７】
なお上記図３（ａ）の説明において、位置検知手段２８ａを無線ＩＣとして、画像情報を記憶している場合に無線ＩＣをＯＮ可能とし、所定の場所例えば閲覧を許可する領域の内部又は周辺に設置された無線ＩＣリーダと通信を行わせ電子ペーパ１の現在位置を取得するようにしても良い。
【００５８】
また、位置検知手段２８ａは物理的な位置座標を算出する物でなく、予め決められたエリア等に出入りしたことを検出するものでも良い。例えば位置検知手段２８ａをＳｕｉｃａ（登録商標）等に使われている無線ＩＣタグとして、無線ＩＣリーダを閲覧が許可された場所、例えば建物、室などの出入り口に設け、無線ＩＣタグの通過を検出し、電子ペーパ１が室内にあることを把握可能としても良い。
【００５９】
なお、ＰＣ４００、サーバー５００、ＣＢＳ６００、及び電子ペーパ１の間の通信は、ＰＣ４００、サーバー５００、ＣＢＳ６００、及び電子ペーパ１の状況に応じて適宜無線或いは有線を用いることができ、通信形態としては無線であれば例えば無線ＬＡＮやＢｌｕｅｔｏｏｔｈが利用可能で、有線であれば例えばＵＳＢやＩＥＥＥ１３９４が利用できる。
【００６０】
以上場所に係る要件を例にとって説明したが、前述した使用者の認証に係る要件、画像自体の要件、時刻に係る要件により、画像を表示しても良いか否かを判断し、要件に沿わない場合は、画像の表示を禁止できるようにしても良いことは言うまでもない。
【００６１】
また、閲覧許可要件が単一の場合について説明したが、場所に係る要件、使用者の認証に係る要件、画像自体の要件、時刻に係る要件等の複数の要件のうち少なくとも２要件を閲覧許可要件とすることにより、より厳密に情報の閲覧を許可するか否かを判断することができ、よりセキュリティー性を高められることは言うまでもない。
【００６２】
例えば場所に係る要件と使用者の認証に係る要件とを閲覧許可要件とする場合について説明すると、
（１）ＰＣ４００やサーバー５００から送信される複数の閲覧許可要件（例えば場所に係る閲覧許可要件と個人の認証に係る閲覧許可要件）をＣＢＳ６００で論理式（ａｎｄ）で記述（場所に係る閲覧許可要件ａｎｄ個人の認証に係る閲覧許可要件）して電子ペーパ１に送信し、
（２）電子ペーパ１は、ＣＢＳ６００から送信される論理式で示された場所に係る閲覧許可要件と使用者の認証に係る閲覧許可要件とを検知すると、例えばＧＰＳと指紋の読取装置により現在位置情報と指紋画像情報とを取得し、
（３）ＣＢＳ６００から送信された論理式に記載された場所に係る閲覧許可要件と個人の認証に係る閲覧許可要件と、取得した現在位置情報と指紋画像情報と、をそれぞれ比較し、論理式に記載された複数の閲覧許可要件に取得した情報が全て沿うような場合に当該画像の閲覧を可とすることにより可能となる。
【００６３】
以下に、電子ペーパ１の制御方法を、電子ペーパ１が自分自身で閲覧許可要件に対応する例えば領域、指紋画像、画像の機密レベル、時間等を検知し、検知した検知情報が閲覧許可要件に沿っているか否かを判断する場合について、図２、図３（ａ）及びフロー図（図４、５、６）を参照して説明する。
【００６４】
また、以下のフローに係るプログラムは例えばＲＯＭ２３に予め記憶されており、制御部２のＣＰＵ２２により不図示の電子ペーパの全体を制御するメインプログラムの実行中に逐次実行される。
【００６５】
以下、電子ペーパ１はＰＣ４００やサーバー５００からＣＢＳ６００を介して送信された画像情報と当該画像情報に係る閲覧許可要件とを受信して、記憶手段（例えばＲＡＭ２４の表示情報エリア２４１）に画像情報と当該画像情報に係る閲覧許可要件とが格納されているものとして説明する。
【００６６】
図４は電子ペーパの第１の制御方法のフロー図である。
【００６７】
以下、画像情報が記憶手段（ＲＡＭ２４）に記憶されていない時に、表示可否判断部２９に画像の表示可否を判断させず、検知手段２８に閲覧許可要件に対応する項目を検知させない第１の制御方法について、図２、図３（ａ）、図４とを参照して説明する。
【００６８】
１．記憶手段の表示画像情報エリアチェック  ステップＳ１０１
表示画像情報エリア２４１には閲覧許可要件テーブルが記憶されており、電源投入時、又は所定時間毎に表示画像情報エリア２４１から画像情報を読み出し、次ステップに進む。
【００６９】
例えば表示画像情報エリア２４１に格納されている下記（表１）に示す閲覧許可要件テーブルＴＢ１を読み出し、閲覧許可要件テーブルＴＢ１から表示画像情報欄ＴＢ１１の内容を読み出す。
【００７０】
【表１】
2010217497.tif 000003
【００７１】
閲覧許可要件テーブルＴＢ１は、画像情報が格納される表示画像情報欄ＴＢ１１と、各画像情報に対応した閲覧許可要件が格納される閲覧許可要件欄ＴＢ１２とを有している。そして、ＣＢＳ６００から送信された画像情報が表示画像情報欄ＴＢ１１に格納され、閲覧許可要件が閲覧許可要件欄ＴＢ１２に格納される。
【００７２】
表示画像情報欄ＴＢ１１に情報が格納されていない時又は閲覧許可要件欄ＴＢ１２に情報が格納されていない時は不用意に閲覧させたくない画像情報が無いことを意味し、表示画像情報欄ＴＢ１１と閲覧許可要件欄ＴＢ１２とに情報が格納されている時は、表示可否判断を行う必要がある画像情報、換言すると不用意に閲覧させたくない画像情報が有ることを意味している。
【００７３】
表示画像情報欄ＴＢ１１には、例えば文書情報１、文書情報２、図面情報１、文書情報３が格納されており、
閲覧許可要件欄ＴＢ１２には、例えば文書情報１に対する閲覧許可要件である、事務所Ａの占有する（位置座標ｘ１．ｙ１／ｘ２．ｙ２／ｘ３．ｙ３で囲まれる）領域情報と、
文書情報２に対する閲覧許可要件である、事務所Ｂの占有する（位置座標ｘ４．ｙ４／ｘ５．ｙ５／ｘ６．ｙ６／ｘ７．ｙ７で囲まれる）領域情報と、
図面情報１に対する閲覧許可要件である、事務所Ａの占有する（位置座標ｘ１．ｙ１／ｘ２．ｙ２／ｘ３．ｙ３で囲まれる）領域情報と、
文書情報３に対する閲覧許可要件である、事務所Ｃの占有する（位置座標ｘ８．ｙ８／ｘ９．ｙ９／ｘ１０．ｙ１０／ｘ１１．ｙ１１で囲まれる）領域情報とが格納されている。
【００７４】
なお、文書情報１、文書情報２、図面情報１、及び文書情報３は、それぞれ閲覧許可要件を有しているため、表示可否判断を行う必要がある、換言すると不用意に閲覧させたくない情報であることを示している。
【００７５】
２．表示情報の有無判断  ステップＳ１０２
読み出した結果、画像情報が無い場合（Ｙｅｓ）はステップＳ１０５に進み、有る場合（Ｎｏ）は次ステップに進む。
【００７６】
具体的には表示画像情報欄ＴＢ１１に格納された画像情報の有無を確認する。
【００７７】
なお、ステップＳ１０２において、表示画像情報欄ＴＢ１１と閲覧許可要件欄ＴＢ１２とに情報が有る場合に次ステップに進むようにすると、閲覧許可要件が無い場合にもステップＳ１０３で表示可否判断部２９が作動中であるか否かを判断する必要もなくなり電力の消費を抑えることができる。
【００７８】
３．表示可否判断部作動状況判断  ステップＳ１０３
画像情報があるため、表示可否判断部２９が作動中であるか否かを判断し、作動中（Ｙｅｓ）であればエンドに進み、作動していなければ（Ｎｏ）表示可否判断部２９を作動させるために次ステップに進む。
【００７９】
４．表示可否判断部ＯＮ  ステップＳ１０４
画像情報を閲覧可能とするか否かを判断させるために、表示可否判断部２９を作動（ＯＮ）させ、検知手段２８（例えばＧＰＳ２８１）がＯＦＦの場合は電子ペーパの現在位置を取得させるためにＧＰＳ２８１を作動（ＯＮ）させエンドに進む。
【００８０】
５．表示可否判断部作動状況判断  ステップＳ１０５
表示可否判断部２９が作動中であるか否かを判断し、作動中（Ｙｅｓ）であれば表示可否判断部２９を作動停止（ＯＦＦ）させるために次ステップに進み、作動していなければ（Ｎｏ）エンドに進む。
【００８１】
６．表示可否判断部作動ＯＦＦ  ステップＳ１０６
画像情報がないため電力の消費を抑えるために、表示可否判断部２９及び検知手段２８（例えばＧＰＳ２８１）の作動をＯＦＦとしエンドに進む。
【００８２】
このように、画像情報がなければ表示可否判断部２９に画像情報の表示可否を判断させる必要もなく、従って表示可否判断部２９の作動及び検知手段２８（例えばＧＰＳ２８１）の作動を行わせない。
【００８３】
このため、表示可否判断部２９を常時作動させるため、また、検知手段２８（例えばＧＰＳ２８１）を常時作動させるための電力が削減可能となり、特にバッテリ駆動の携帯端末装置において長時間稼働が可能となる。
【００８４】
制御部２内部の処理に比べて検知手段２８（例えばＧＰＳ２８１）や通信手段の作動に必要な消費電力は大きく、画像情報が無い時に検知手段２８（例えばＧＰＳ２８１）の作動を停止することは特にバッテリ駆動の携帯端末装置において稼働時間延長に顕著な効果をもたらす。
【００８５】
以下、ステップＳ１０４で行う、表示可否判断部２９による表示可否判断方法について、閲覧許可要件が場所に係る要件の場合の概要を説明する。
【００８６】
１．閲覧許可要件テーブルＴＢ１を読み出して表示部４に閲覧許可要件テーブルＴＢ１（表１）を表示させる。
【００８７】
２．表示画像情報欄ＴＢ１１に表示された例えば文書情報１、文書情報２、図面情報１、文書情報３、等のうち、タッチパネル機能により使用者が選択した情報（例えば文書情報２）に対する閲覧許可要件〔例えば事務所Ｂの占有する（位置座標ｘ４．ｙ４／ｘ５．ｙ５／ｘ６．ｙ６／ｘ７．ｙ７で囲まれる）領域情報〕を閲覧許可要件欄ＴＢ１２から読み出す。
【００８８】
３．検知手段２８例えばＧＰＳ２８１により取得した位置情報（例えば位置座標ｘ４１．ｙ４１）と、閲覧許可要件欄ＴＢ１２から読み出した閲覧許可要件〔例えば事務所Ｂの占有する（位置座標ｘ４．ｙ４／ｘ５．ｙ５／ｘ６．ｙ６／ｘ７．ｙ７で囲まれる）領域情報〕と、を比較する。
【００８９】
５．位置座標ｘ４１．ｙ４１が、画像情報を表示して良い領域に係る位置座標ｘ４．ｙ４／ｘ５．ｙ５／ｘ６．ｙ６／ｘ７．ｙ７で囲まれる領域内に位置する座標であれば表示可と判断し、領域外に位置する座標であれば表示否と判断する。
【００９０】
表示可否判断部２９はこのようにして画像の表示可否を判断することができる。
【００９１】
なお、例えば使用者の認証に係る要件の場合は、１項で後述の閲覧許可要件テーブルＴＢ２（表２）を表示させ、２項で使用者が選択した情報（例えば文書情報２）に対する閲覧許可要件（例えば指紋画像情報）を読み出し、３項で表示可否判断部２９に設けた指紋の読取装置（不図示）により取得した指紋画像情報と閲覧許可要件欄ＴＢ２２から読み出した指紋画像情報とを、通常用いられるパタン認識等の手法を用いて比較し、４項で両者が同一人の指紋画像と判断すると表示可と判断し、異なる人の指紋画像と判断すると表示否と判断する。以上により、任意の画像情報について、検知手段２８で検知した検知情報が閲覧許可要件に沿っているか否かを判断することが可能となる。
【００９２】
図５は電子ペーパの第２の制御方法のフロー図である。
【００９３】
画像情報が記憶手段（ＲＡＭ２４）に記憶されていない時に、表示可否判断部２９に画像の表示可否を判断させず、検知手段２８に閲覧許可要件に対応する項目を検知させず、且つ、
画像情報が記憶手段（ＲＡＭ２４）に記憶されている時に、閲覧許可要件が場所に係る要件の場合は、電子ペーパ１の位置を検知可能とし、画像情報を閲覧可能とするか否かを判断可能とし、
場所に係る要件がない場合は、他の要件について検知可能とし、他の要件に関する画像情報を閲覧可能とするか否かを判断可能とする第２の制御方法について、図２、図３（ａ）、図５とを参照して説明する説明する。
【００９４】
１．記憶手段の表示画像情報エリアチェック  ステップＳ２０１
ＲＡＭ２４の表示画像情報エリア２４１から画像情報を読み出し、次ステップに進む。
【００９５】
具体的には、表示画像情報エリア２４１に格納されている閲覧許可要件テーブルを読み出す。例えば（表１）に示す閲覧許可要件テーブルＴＢ１を読み出して、表示画像情報欄ＴＢ１１の内容を取得する。
【００９６】
なお、閲覧許可要件テーブルが複数有る場合は順次読み出す。
【００９７】
２．表示情報の有無判断  ステップＳ２０２
読み出した結果、画像情報が無い場合（Ｙｅｓ）は検知手段２８をＯＦＦとするためステップＳ２０８に進み、有る場合（Ｎｏ）は次ステップに進む。
【００９８】
具体的には表示画像情報欄ＴＢ１１に格納された画像情報の有無を確認する。
【００９９】
３．閲覧許可要件の確認  ステップＳ２０３
ＲＡＭ２４に記憶されている閲覧許可要件を読み出して次ステップに進む。
【０１００】
具体的には、（表１）に示す閲覧許可要件欄ＴＢ１２の内容を読み出す。
【０１０１】
４．場所に関する要件有無判断  ステップＳ２０４
読み出した結果、場所に関する要件が無ければ（Ｎｏ）他の要件を確認するため次ステップに進み、有れば（Ｙｅｓ）検知手段２８をＯＮとするためステップＳ２０６に進む。
【０１０２】
なお、場所に関する要件が無いとは閲覧許可要件欄ＴＢ１２に場所に関する要件が格納されていない場合、或いは空欄となっている場合を指し、有るとは閲覧許可要件欄ＴＢ１２に場所に関する要件が格納されている場合を指す。
【０１０３】
５．他の表示情報有無判断  ステップＳ２０５
ＲＡＭ２４に記憶されている閲覧許可要件を読み出して、場所に関する要件以外の閲覧許可要件が有るか無いかを判断し、有る場合（Ｎｏ）は他の閲覧許可要件を確認するためステップＳ２０３に進み、無い場合は（Ｙｅｓ）ステップＳ２０８に進む。
【０１０４】
具体的には、例えば閲覧許可要件テーブルを順次読み出して場所に関する要件以外の閲覧許可要件が有るか無いかを確認する。以下、場所に関する要件以外の閲覧許可要件が記憶された下記（表２）に示す閲覧許可要件テーブルＴＢ２があったものとして説明する。
【０１０５】
（表２）に示す閲覧許可要件テーブルＴＢ２を読み出して、表示画像情報欄ＴＢ２１の内容を読み出す。
【０１０６】
なお、場所に関する要件以外の閲覧許可要件が有る場合とは、場所に関する要件に関する閲覧許可要件テーブルＴＢ１以外の、例えば使用者の認証に関する下記閲覧許可要件テーブルＴＢ２等が格納されている場合を指し、また、場所に関する要件以外の閲覧許可要件が無い場合とは閲覧許可要件テーブルＴＢ１以外の閲覧許可要件テーブルが格納されていない場合を指す。
【０１０７】
なお、閲覧許可要件テーブルを、例えば場所に関する要件が格納された閲覧許可要件テーブルＴＢ１、使用者の認証（指紋画像）に関する要件が格納された下記閲覧許可要件テーブルＴＢ２、等特定の閲覧許可要件毎に纏めた場合について説明しているが、各種の閲覧許可要件を含む単一の閲覧許可要件テーブルとしても良いことは言うまでもない。
【０１０８】
また、ステップＳ２０５において他の閲覧許可要件（例えば閲覧許可要件テーブルＴＢ２）が有る場合（Ｎｏ）と判断してステップＳ２０３に進んだ時には、
ステップＳ２０３ではステップＳ２０５であると判断した他の閲覧許可要件（例えば閲覧許可要件欄ＴＢ２２）を確認し、
ステップＳ２０４では前記他の閲覧許可要件（例えば閲覧許可要件欄ＴＢ２２）を確認し、
ステップＳ２０６とステップＳ２０８では前記他の閲覧許可要件に関する検知手段（例えば指紋の読取装置）の作動状況を判断する。
【０１０９】
【表２】
2010217497.tif 000004
【０１１０】
閲覧許可要件テーブルＴＢ２は、画像情報が格納される表示画像情報欄ＴＢ２１と、各画像情報に対応した閲覧許可要件が格納される閲覧許可要件欄ＴＢ２２とを有している。そして、ＣＢＳ６００から送信された画像情報が表示画像情報欄ＴＢ２１に格納され、閲覧許可要件が閲覧許可要件欄ＴＢ２２に格納される。
【０１１１】
表示画像情報欄ＴＢ２１に情報が格納されていない時又は閲覧許可要件欄ＴＢ２２に情報が格納されていない時は不用意に閲覧させたくない画像情報が無いことを意味し、表示画像情報欄ＴＢ２１と閲覧許可要件欄ＴＢ２２とに情報が格納されている時は、表示可否判断を行う必要がある、換言すると不用意に閲覧させたくない内容を含む画像情報が有ることを意味している。
【０１１２】
表示画像情報欄ＴＢ２１には、例えば文書情報１、文書情報２、図面情報１、文書情報３、等が格納されており、
閲覧許可要件欄ＴＢ２２には、例えば文書情報１に対する閲覧許可要件であるＡ氏の指紋画像情報１と、文書情報２に対する閲覧許可要件であるＢ氏の指紋画像情報２と、図面情報１に対する閲覧許可要件であるＣ氏の指紋画像情報３と、文書情報３に対する閲覧許可要件であるＡ氏とＣ氏との指紋画像情報１と３、等が格納されている。
【０１１３】
なお、文書情報１、文書情報２、図面情報１、及び文書情報３は、それぞれ閲覧許可要件を有しているため、表示可否判断を行う必要がある画像情報、換言すると不用意に閲覧させたくない画像情報が有ることを意味している。
【０１１４】
６．位置検知手段作動状況判断  ステップＳ２０６
電子ペーパ１の位置を検知する位置検知手段２８ａ（例えばＧＰＳ２８１）が作動状態にあるかないかを判断し、作動中の場合はエンドに進み、停止中の場合は次ステップに進む。
【０１１５】
７．位置検知手段ＯＮ  ステップＳ２０７
電子ペーパ１の位置を検知可能とし、画像情報を閲覧可能とするか否かを判断可能とするために、検知手段２８（例えばＧＰＳ２８１）と、表示可否判断部２９とを作動させてエンドに進む。
【０１１６】
８．位置検知手段作動状況判断  ステップＳ２０８
電子ペーパ１の位置を検知する位置検知手段２８（例えばＧＰＳ２８１）又は表示可否判断部２９が作動状態にあるかないかを判断し、作動中の場合は次ステップに進み、停止中の場合はエンドに進む。
【０１１７】
９．位置検知手段ＯＦＦ  ステップＳ２０９
位置検知手段２８（例えばＧＰＳ２８１）又は表示可否判断部２９による電力消費を０とするためＧＰＳ２８１と表示可否判断部２９とを停止させエンドに進む。
【０１１８】
このため、表示可否判断部２９を常時作動させるため、また、検知手段２８（例えばＧＰＳ２８１）を常時作動させるための電力が削減可能となり、特にバッテリ駆動の携帯端末装置において長時間稼働が可能となる。
【０１１９】
制御部２内部の処理に比べて検知手段２８（例えばＧＰＳ２８１）や通信手段の作動に必要な消費電力は大きく、画像情報が無い時に検知手段２８（例えばＧＰＳ２８１）の作動を停止することは特にバッテリ駆動の携帯端末装置において稼働時間延長に顕著な効果をもたらす。
【０１２０】
また、場所に係る閲覧許可要件以外の閲覧許可要件についても画像情報の閲覧可否を判断可能となり、この場合についても上述したように電力を削減可能となりより、特にバッテリ駆動の携帯端末装置において長時間稼働が可能となる。
【０１２１】
図６は電子ペーパの第３の制御方法のフロー図である。
【０１２２】
なお、第３の制御方法のフローは前記第１の制御方法のフローに付帯するもので、
即ち、画像情報が記憶手段（ＲＡＭ２４）に記憶されていない時に、表示可否判断部２９に画像の表示可否を判断させず、検知手段２８に閲覧許可要件に対応する項目を検知させないことを前提として処理される。
【０１２３】
また、画像が複数の頁にわたり、閲覧許可要件が情報を表示して良い頁に係る表示可頁情報であって、画像情報が記憶手段（ＲＡＭ２４）に記憶されている時に、
頁表示要求操作が行われないと、画像情報が記憶手段（ＲＡＭ２４）に記憶されていても表示判断手段に画像情報の表示可否を判断させず、
頁切替要求操作が行われないと、画像情報が記憶手段（ＲＡＭ２４）に記憶されていても表示判断手段に画像情報の表示可否を判断させない第３の制御方法について、図２、図３（ａ）、図６とを参照して説明する。
【０１２４】
１．ページ表示要求有無判断  ステップＳ３０１
操作部２５に設けられた頁表示スイッチ２５１を監視して閲覧したい頁の表示要求（スイッチＯＮ）があると（Ｙｅｓ）次ステップに進み、頁の表示要求がないと（Ｎｏ）閲覧許可要件検知手段を停止させるためにステップＳ３１３に進む。
【０１２５】
２．表示要求ページの閲覧許可要件の取得  ステップＳ３０２
ページの表示要求により、ＲＡＭ２４から画像情報である例えば文章情報と、該文章情報に係る閲覧許可要件情報と、を読み出して次ステップに進む。
【０１２６】
具体的には、表示画像情報エリア２４１に格納されている閲覧許可要件テーブルを読み出す。例えば下記（表３）に示す閲覧許可要件テーブルＴＢ３を読み出して、表示画像情報欄ＴＢ３１と閲覧許可要件欄ＴＢ３２との内容を読み出す。
【０１２７】
【表３】
2010217497.tif 000005
【０１２８】
表示画像情報エリア２４１は例えば（表３）に示す、画像情報の各頁に係る要件に関する閲覧許可要件テーブルＴＢ３を有している。
【０１２９】
そして、閲覧許可要件テーブルＴＢ３は、画像情報が格納される表示画像情報欄ＴＢ３１と、各画像情報に対応した閲覧許可要件が格納される閲覧許可要件欄ＴＢ３２とを有している。そして、ＣＢＳ６００から送信された画像情報が表示画像情報欄ＴＢ３１に格納され、閲覧許可要件が閲覧許可要件欄ＴＢ３２にそれぞれ格納される。
【０１３０】
表示画像情報欄ＴＢ１には、例えば文書の第１頁情報、文書の第２頁情報、文書の第３頁情報、文書の第４頁情報が格納されており、
閲覧許可要件欄ＴＢ３２には、例えば文書の第１頁に対する閲覧許可要件である、事務所Ａの占有する（位置座標ｘ１．ｙ１／ｘ２．ｙ２／ｘ３．ｙ３で囲まれる）領域情報と、
文書の第２頁情報に対する閲覧許可要件である、Ａ氏の指紋画像情報１と、
文書の第３頁情報に対する閲覧許可要件である、事務所Ａの占有する（位置座標ｘ１．ｙ１／ｘ２．ｙ２／ｘ３．ｙ３で囲まれる）領域情報と、
文書の第４頁情報に対する閲覧許可要件である、Ａ氏とＣ氏との指紋画像情報１と３とが格納されている。
【０１３１】
表示画像情報欄ＴＢ３１に情報が格納されていない時又は閲覧許可要件欄ＴＢ３２に情報が格納されていない時は不用意に閲覧させたくない画像情報が無いことを意味し、表示画像情報欄ＴＢ３１と閲覧許可要件欄ＴＢ３２とに情報が格納されている時は表示可否判断を行う必要がある画像情報、換言すると不用意に閲覧させたくない画像情報が有ることを意味している。
【０１３２】
なお、文書の第１頁情報〜第４頁情報は、それぞれ閲覧許可要件を有しているため、表示可否判断を行う必要がある、換言すると不用意に閲覧させたくない情報であることを示している。
【０１３３】
３．閲覧許可要件有無判断  ステップＳ３０３
読み出した文章情報に係る閲覧許可要件情報（例えば場所に係る要件）が有るか無いかを確認して無い場合は次ステップに進み、有る場合はステップＳ３０７に進む。
【０１３４】
具体的には、表示画像情報欄ＴＢ３１と閲覧許可要件欄ＴＢ３２とに、それぞれ画像情報と閲覧許可要件情報が格納してあるか否かを判断する。
【０１３５】
４．閲覧許可要件検知手段作動状況判断  ステップＳ３０４
閲覧許可要件に対応する項目、例えば領域、指紋画像、画像の機密レベル、時間等を検知する検知手段（以下、該検知手段を閲覧許可要件検知手段とも称する）の作動状況を確認して、作動中の場合（Ｙｅｓ）は次ステップに進み、停止中（Ｎｏ）の場合はステップＳ３０６に進む。
【０１３６】
具体的には、閲覧許可要件テーブルＴＢ３を読み出して表示部４に閲覧許可要件テーブルＴＢ３（表３）を表示させ、使用者が表示画像情報欄ＴＢ３１から選択した画像情報（例えば文書の第２頁情報）に対応する閲覧許可要件（例えばＡ氏の指紋画像情報１）を検知可能な検知手段（例えば指紋の読取装置）の作動状況を確認する。
【０１３７】
以下に、閲覧許可要件に対応する項目を検知する検知手段の検知方法について概要を説明する。
【０１３８】
（１）閲覧許可要件テーブルＴＢ３を読み出して表示部４に閲覧許可要件テーブルＴＢ３（表３）を表示させる。
【０１３９】
（２）表示画像情報欄ＴＢ３１に表示された例えば文書の第１頁情報、文書の第２頁情報、文書の第３頁情報、文書の第４頁情報等のうち、使用者が選択した情報（例えば文書の第２頁情報）に対する閲覧許可要件（例えばＡ氏の指紋画像情報１）を閲覧許可要件欄ＴＢ３２から読み出す。
【０１４０】
（３）閲覧許可要件に対応する項目を検知する検知手段（認証手段）である指紋を読み取る読取装置により取得した指紋画像情報と閲覧許可要件欄ＴＢ３２から読み出した閲覧許可要件〔例えばＡ氏の指紋画像情報１〕とを比較する。
【０１４１】
（４）取得した指紋画像情報が、Ａ氏の指紋画像情報１と同一人と判断されると表示可と判断し、他人と判断されれば表示否と判断する。
【０１４２】
なお、同一人か否かの判断は通常用いられるパタン認識等の手法を用いて比較することで可能となる。
【０１４３】
５．閲覧許可要件検知手段ＯＦＦ  ステップＳ３０５
閲覧許可要件検知手段として、ステップＳ３０４で選択した検知手段（例えば指紋を読み取る読取装置）の作動をＯＦＦとして次ステップに進む。
【０１４４】
６．表示要求ページの表示ＯＮ  ステップＳ３０６
ステップＳ３０４で使用者が表示画像情報欄ＴＢ３１で選択した画像情報（例えば文書の第２頁情報）を表示制御回路２７により表示部４に表示させて次ステップに進む。
【０１４５】
７．閲覧許可要件の検知手段作動状況判断  ステップＳ３０７
閲覧許可要件検知手段として、ステップＳ３０４で選択した検知手段（例えば指紋を読み取る読取装置）の作動状況を確認して、作動中の場合（Ｙｅｓ）はステップＳ３０９に進み、停止中（Ｎｏ）の場合は次ステップに進む。
【０１４６】
８．閲覧許可要件検知手段ＯＮ  ステップＳ３０８
ステップＳ３０４で選択した検知手段（例えば指紋を読み取る読取装置）の作動をＯＮとして次ステップに進む。
【０１４７】
９．表示切り替え操作有無判断  ステップＳ３０９
表示する頁を切り替える操作を行う頁切替要求手段（例えば頁めくりスイッチ２５２）を監視して頁の切替要求があると（Ｙｅｓ）、切替要求に応じた頁の表示について表示可否の判断を行うためにステップＳ３０２に進み、ページの切替要求がないと（Ｎｏ）表示判断手段による切り替えられる頁についての画像の表示可否を判断させず次ステップに進む。
【０１４８】
１０．表示ＯＦＦ操作有無判断  ステップＳ３１０
表示を中止する表示ＯＦＦスイッチ２５３を監視して頁の表示ＯＦＦ要求があると（Ｙｅｓ）次ステップに進み、頁の表示ＯＦＦ要求がないと（Ｎｏ）ステップＳ３０１に進む。
【０１４９】
１１．表示要求ページの表示ＯＦＦ  ステップＳ３１１
ステップＳ３０４で使用者が表示画像情報欄ＴＢ３１で選択した画像情報（例えば文書の第２頁情報）を表示制御回路２７により消去させて次ステップに進む。
【０１５０】
消去は表示中の当該情報を他の例えば白紙情報や模様情報で上書きすることで消去することが確実性の上で望ましい。
【０１５１】
なお、閲覧許可要件に画像の機密レベルを設け機密性が低い場合に閲覧可となった場合は、通常行われる手法により表示画面の低解像度化、モザイク化、マスキングを行って表示しても良い。また、画像が文章である場合は、文頭の数文字、文尾の数文字を残して間のみ消去して表示しても良い。
【０１５２】
こうすると情報の詳細内容は知らせることなく、どの様な情報があったのかのみ程度は表示でき、本来の使用者にとっても業務の効率性を挙げることが出来る。
【０１５３】
１２．閲覧許可要件検知手段作動状況判断  ステップＳ３１２
ステップＳ３０４と同様にして、閲覧許可要件に対応する項目、例えば領域、指紋画像、画像の機密レベル、時間等を検知する検知手段（閲覧許可要件検知手段）の作動状況を確認して、作動中の場合（Ｙｅｓ）は次ステップに進み、停止中（Ｎｏ）の場合はエンドに進む。
【０１５４】
１３．閲覧許可要件検知手段ＯＦＦ  ステップＳ３１３
ステップＳ３０４で選択した検知手段（例えば指紋を読み取る読取装置）の作動をＯＦＦとしてエンドに進む。
【０１５５】
上記フローにより、頁の表示要求がなければ閲覧許可要件に対応する項目、例えば領域、指紋画像等を検知する検知手段を作動させず、また、表示要求を行った頁に対する閲覧許可要件がなければ閲覧許可要件に対応する項目、例えば領域、指紋画像等を検知する検知手段（閲覧許可要件検知手段）を作動させないことにより、閲覧許可要件検知手段を常時作動させる場合に比べて電力を削減可能となり、特にバッテリ駆動の携帯端末装置において長時間稼働が可能となる。
【０１５６】
また、表示要求を行った頁に対して閲覧の可否判断を行うため、より具体的なレベルで表示の対象となる画像について閲覧の可否判断が可能となる。
【０１５７】
また、バッテリを駆動電源とする携帯端末装置（電子ペーパ）において、バッテリの電圧測定部を設け、バッテリの出力電圧が所定値以上のバッテリに余力のある時点では、常時、例えば所定時間毎に検知手段２８に閲覧許可要件に対応する項目を検知させ、表示可否判断部２９に画像情報の閲覧可否の判断をさせる。そして、バッテリの出力電圧が所定値未満のバッテリの余力が少なくなってきた時点以降は画像情報を記憶している場合にのみ検知手段２８に閲覧許可要件に対応する項目を検知させ、表示可否判断部２９に画像情報の閲覧可否の判断をさせても良い。
【０１５８】
上記の、バッテリに余力のある時点では、常時検知手段２８による検知と、表示可否判断部２９による画像情報の閲覧可否判断とで、周囲の状況にかかわらず情報の閲覧可否判断が遅滞なく可能となり、
バッテリの余力が少なくなってきた時点では、画像情報を記憶していない場合には検知手段２８による検知と、画像情報の閲覧可否判断とを行わせないことで、消費電力の低減を図り特にバッテリ駆動の携帯端末装置において長時間稼働を可能とできる。
【０１５９】
以上図３（ａ）を参照して、電子ペーパ１が自分自身で閲覧許可要件に対応する項目（例えば領域、指紋画像、画像の機密レベル、時間等）を検知し、検知結果が閲覧許可要件に沿っているか否かを判断する場合について説明したが、以下に参考として、図３（ｂ）、（ｃ）を参照して、検知結果が閲覧許可要件に沿っているか否かの判断を電子ペーパ１の外部で行う他の形態について説明する。
【０１６０】
なお、前述した閲覧許可要件テーブルＴＢ１〜３がＳＡＣ８００に記憶されており、ＰＣ４００やサーバー５００から送信される例えば画像情報と画像情報に関する閲覧許可要件情報が、ＣＢＳ６００を介してＳＡＣ８００に送信され、閲覧許可要件テーブルＴＢ１〜３に格納されているものとして説明する。
【０１６１】
図３（ｂ）において電子ペーパ１は、画像情報を記憶している場合に、ＣＢＳ６００から送信された閲覧許可要件（例えば場所に関する要件：事業所Ａが占有する領域情報）に対応した検知手段２８（例えば位置検知手段２８ａ：ＧＰＳ２８１）を選択し、ＧＰＳ２８１は現在位置（例えば事業場Ａ内部の事務室の位置）を検知し、制御部２は現在位置情報をＳＡＣ８００に送信する。
【０１６２】
なお、画像情報を記憶していない場合は、ＣＢＳ６００から送信された閲覧許可要件（例えば場所に関する要件：事業所Ａが占有する領域情報）に対応した検知手段２８（例えば位置検知手段２８ａ：ＧＰＳ２８１）を選択せず、ＧＰＳ２８１は作動せず、制御部２は現在位置情報をＳＡＣ８００に送信しない。
【０１６３】
ＳＡＣ８００は、表示可否判断部２９を有し、ＣＢＳ６００から送信された閲覧許可要件（例えば場所に関する要件：事業所Ａが占有する領域情報）と、電子ペーパ１から送信された例えば電子ペーパ１の位置情報（事業場Ａ内部の事務室の位置情報）と、を比較可能となっている。そして、現在位置情報（例えば事業場Ａ内部の事務室の位置情報）が、閲覧許可要件に示された領域（例えば事業所Ａが占有する領域情報）の中に含まれている場合は比較結果として、閲覧を可とする閲覧可情報を電子ペーパ１の通信部２６に送信する。
【０１６４】
そして、電子ペーパ１の制御部２（表示可否判断部２９）は閲覧可情報の受信により、閲覧許可要件に対応した画像の表示（閲覧）を可とするようになっている。
【０１６５】
以上、図３（ｂ）で説明した構成をとることにより、画像情報が記憶手段に記憶されていなければ検知手段２８（例えばＧＰＳ）を作動させないことで消費電力の削減ができ携帯端末装置の稼働時間を延長可能とでき、また閲覧許可要件に沿った場所（領域）等でのみ文書等の閲覧を可能とできる。
【０１６６】
また、図３（ｃ）において電子ペーパ１は、画像情報を記憶している場合に、ＣＢＳ６００から送信された閲覧許可要件（例えば場所に関する要件：事業所Ａが占有する領域情報）に対応した検知手段２８（例えば位置検知手段２８ａ：電波強度測定手段２８２）を選択する。なお、電波強度測定手段２８２は複数（少なくとも３箇所）の信号発信局７２０から発信される各電波の強度を測定する電波強度測定手段であり、電波強度測定手段２８２により測定した複数の信号発信局７２０の各電波強度情報を通信部２６によりＳＡＣ８００に送信する。なお、複数の信号発信局７２０は例えば画像を閲覧可とする領域（例えばビルディング内の会議室）の周辺に配設されている。
【０１６７】
ＳＡＣ８００は、電子ペーパ１から送信された各電波強度情報により、電子ペーパ１が複数の信号発信局７２０で囲まれる領域の内部に位置しているか否かを判断する。例えば、各電波強度情報が全て所定の電波強度以内に入っていれば、電子ペーパ１が複数の信号発信局７２０で囲まれる領域の内部に位置していることを特定できる。
【０１６８】
そして、領域の内部に位置していることを特定できた場合は閲覧を可とする閲覧可情報を電子ペーパ１の通信部２６に送信する。
【０１６９】
そして、電子ペーパ１の制御部２（表示可否判断部２９）は閲覧可情報の受信により、閲覧許可要件に対応した画像の表示（閲覧）を可とするようになっている。
【０１７０】
以上図３（ｃ）で説明した構成をとることにより、画像情報が記憶手段に記憶されていなければ検知手段２８（例えば電波強度測定手段２８２）を作動させないことで消費電力の削減ができ携帯端末装置の稼働時間を延長可能とでき、また閲覧許可要件に沿った場所（領域）等でのみ文書等の閲覧を可能とできる。
【０１７１】
そして、閲覧を許可する領域が狭い範囲（例えば直径１０ｍ以内）である場合は、複数の信号発信局７２０を狭い範囲に配置でき、現在位置をＧＰＳで取得するより正確に取得可能とできる。
【符号の説明】
【０１７２】
１  電子ペーパ
２  制御部
３  バッテリ
４  表示部
２４  ＲＡＭ
２８  検知手段
２８ａ  現在位置検知手段
２８ｂ  認証手段
２９  表示可否判断部
２８１  ＧＰＳ
６００  ＣＢＳ（コミュニケーションサーバー）
ＴＢ１〜３  閲覧許可要件テーブル
【図１】
2010217497.tif 000006
【図２】
2010217497.tif 000007
【図３】
2010217497.tif 000008
【図４】
2010217497.tif 000009
【図５】
2010217497.tif 000010
【図６】
2010217497.tif 000011